(57)【要約】      （修正有）【課題】光源からの光を手摺本体の全体にわたって均一にムラなく放出し、照明として歩行者の足元などを明るく照らすことができるようにするとともに、手摺本来の機能に加えて、たとえばイルミネーションとしての付加価値も付与できるようにすること。【解決手段】手摺本体２１とブラケット２２とを有し、上記手摺本体２１には、手摺本体２１の長さ方向に沿って延びる導光材２５が設けられ、該導光材２５の内側面には、長さ方向の端部２５ｄより導入された光を外側面２５ｂから導出する反射面２５ｃが形成され、該反射面２５ｃが、導光材２５の長さ方向と交わる方向に延びる複数本の切り込み溝を相互間にすき間を隔てて配置して形成され、上記導光材２５の少なくとも一方の端部には、光源２４が対向して配置されるとともに、手摺本体２１の端部を支持するブラケット２２内に、上記光源２４を点灯するための電源５４と制御回路とが内蔵された照明付き手摺。【選択図】図４
2006299586.tif 000002
【特許請求の範囲】
【請求項１】
手摺本体と、該手摺本体を支持するブラケットとを有し、
上記手摺本体には、手摺本体の長さ方向に沿って延びて透光性を有する中実の導光材が設けられ、
該導光材の内側面には、長さ方向の端部より導入された光を外側面から導出する反射面が形成され、
該反射面が、導光材の長さ方向と交わる方向に延びる複数本の切り込み溝を相互間にすき間を隔てて配置して形成され、
上記導光材の少なくとも一方の端部には、光源が対向して配置されるとともに、
手摺本体の端部を支持するブラケット内に、上記光源を点灯するための電源と制御回路とが内蔵された
照明付き手摺。
【請求項２】
前記反射面が、導光材の長さ方向と交わる方向にすき間を隔てて直線的に間欠配置して形成された
請求項１に記載の照明付き手摺。
【請求項３】
前記電源が、ブラケット内に収納可能な大きさの電池で構成されるとともに、前記ブラケットの固定面に近接して並行になるように寝かせて配置され、
前記制御回路を搭載した基板が、ブラケットの固定面と交わる方向に立てて取付けられて、
該基板に、前記光源が搭載された
請求項１または請求項２に記載の照明付き手摺。
【請求項４】
少なくとも両端に位置するブラケットに、接近した人間を検知する人間検知センサが内蔵された
請求項１から請求項３のうちのいずれか一項に記載の照明付き手摺。
【請求項５】
前記ブラケットにおける人間検知センサに対応する部分が、上記人間検知センサでの検知を可能にする材料からなるカバーで覆われた
請求項４に記載の照明付き手摺。
【請求項６】
前記カバーが、その人間検知センサに対応する部位の内側面に、凹レンズ部を有する
請求項５に記載の照明付き手摺。
【請求項７】
前記電源の電圧が所定電圧か否かを判定するバッテリチェック回路が備えられた
請求項３から請求項６のうちのいずれか一項に記載の照明付き手摺。
【発明の詳細な説明】
【技術分野】
【０００１】
この発明は、たとえば廊下や階段において、歩行する人間の支えや案内となる手摺に関し、より詳しくは、照明機能を備えた手摺に関する。
【背景技術】
【０００２】
これまで、発光する手摺は数多く提案されている（例えば、下記特許文献１、２、３、４）。
【０００３】
これらは、発光、すなわち光を出す手摺であるが、いずれも、廊下面や階段の踏み面、歩行者の足元などを照明するものではない。
【０００４】
つまり、発光のための手段として、発光ダイオード（ＬＥＤ）などが用いられているが、これは、照明といえるほどの照度を得られるものではなく、手摺の存在が視認できる程度の明るさしか得られない。
【０００５】
特許文献１の手摺は、ブラケットに光源が組み込まれるとともに、手摺り棒に、光源の光を受けて発光する発光体が手摺り棒の延びる方向に向けて線状に視認可能に組み込まれたものである。そして、手摺り棒から露出する上記線状発光体の内側面に向けて発光された光は、線状発光体内部を透過する過程で光散乱し、上記側面部が発光する、というものである。
【０００６】
しかし、光散乱による減衰率は非常に大きく、側面部分の発光は、線状発光体の一部分、しかも１ｍほども離れて設けられるブラケットに近い部分のみが、ぼやっと光って、その存在を示す程度のものにすぎない。
【０００７】
特許文献２は、手摺にも適用できる長尺の照明器具であり、導光部材を用いるものであるが、その導光部材は、長手方向両端の入射面と、これら入射面の間の出射面と、この出射面の裏側の散乱面とを有し、この散乱面を粗面に形成したものである。
【０００８】
すなわち、この導光部材では、「光源からの光は導光部材の入射面から導光部材に入射し、入射した光は出射面と粗面（散乱面）の間を散乱反射しながら進んでいく。このとき、出射面で全反射し、つぎに散乱面で散乱反射し、出射面に対し全反射の臨界角より小さな角度で反射された光が出射面から出射する。」  
そして、「このようにして導光部材から出射する光は全体に均一化される。そして、光源の数は増やさずに導光部材を長くしたり、幅を変えたりしても明るさにムラは生じない」と、記載されている。
【０００９】
しかし、粗面とは、単に粗い面であって、光を散乱反射させるためのものである。  
このため、導光部材が長尺の場合には、光源に近い両端部は比較的明るいが、光源から遠ざかるに従って暗くなるというように、ムラができてしまう。つまり、上記特許文献１の場合と同様に、照明として歩行者の足元などを照らすほどに明るいものにはなり得なかった。
【００１０】
特許文献３の手摺は、中空状の手摺本体の内部に、多数のＬＥＤが一列に並べて収納されたもので、手摺本体には、ＬＥＤからの光が外へ放たれるように多数の光透過用貫通孔が形成されている。
【００１１】
しかしこのような構成では、個々のＬＥＤが照明として使えるほどの明るさで光らないので、内蔵されたＬＥＤを直視した時に限って光が見える程度である。このため、上記の特許文献１，２の技術と同様に他を照明できるようなものではない。また、この特許文献３の構成によれば、多数のＬＥＤが必要で、不経済でもある。
【００１２】
特許文献４の手摺は、手摺部材に凹溝が形成され、この凹溝内に線状のＥＬ発光体が敷設されたものである。そしてこのＥＬ発光体を収容する凹溝の開口が蓄光カバーで塞がれている。
【００１３】
しかし、ＥＬ発光体を用いると、ＬＥＤを用いて上記の如く構成した場合に比して明るい光が得られはっきりと光を認識できるものの、それでもその光は発光体の存在を示す程度であって、上記の各特許文献の技術と同様に、足元などを照明するような光にはなり得ない。
【００１４】
また、ＥＬ発光体を使用する場合には、あらかじめ定められた長さのものしか使用できず、手摺を設置する現場において、その情況に応じて対応することはむつかしい。この手摺では、ＥＬ発光体が発光するための電源等をエンドブラケット内に内蔵して取付けの簡単化が図られているが、その効果が減殺されてしまう。
【００１５】
さらに、この特許文献４の手摺では、手摺部材の一方の端部に取付けられたエンドブラケットに、人感知センサを設けて、手摺の両端側から接近する人間を検知し、ＥＬ発光体が発光するように構成されている。
【００１６】
しかし、一方のエンドブラケットのみに人感知センサを設けたのでは、手摺のいずれが側から人間が接近するのかによって感度が異なり、使用上好ましくない。特に、廊下の曲がり角や階段で使用する場合には、必要な時に点灯しない問題点もある。
【００１７】
【特許文献１】特開２００３−２９３５４３号公報
【特許文献２】特開２００１−２１０１０６号公報
【特許文献３】特開２００５−９０９３号公報
【特許文献４】特開２００４−１４３９２４号公報
【発明の開示】
【発明が解決しようとする課題】
【００１８】
そこでこの発明は、特異な導光材を用いることによって、光源からの光を長く延びる手摺本体の全体にわたって均一にムラなく放出し、照明として歩行者の足元などを明るく照らすことができるようにして、より一層の安全の確保と、手摺本来の機能に加えて、たとえばイルミネーションとしての付加価値も付与できるようにすることを主たる課題とする。
【課題を解決するための手段】
【００１９】
そのための手段は、手摺本体と、該手摺本体を支持するブラケットとを有し、上記手摺本体には、手摺本体の長さ方向に沿って延びて透光性を有する中実の導光材が設けられ、該導光材の内側面には、長さ方向の端部より導入された光を外側面から導出する反射面が形成され、該反射面が、導光材の長さ方向と交わる方向に延びる複数本の切り込み溝を相互間にすき間を隔てて配置して形成され、上記導光材の少なくとも一方の端部には、光源が対向して配置されるとともに、手摺本体の端部を支持するブラケット内に、上記光源を点灯するための電源と制御回路とが内蔵された照明付き手摺である。
【００２０】
すなわち、電源と制御回路とにより発光する光源からの光は、手摺本体の長さ方向に沿って延びる導光材の端部から入り、導光材の長さ方向（導光方向）に進むにつれて、次々に反射面の切り込み溝によって反射され、導光材の外側面から放出される。このとき、入射した光は、導光材内を全反射しながら進んでゆく。そして光はそのうちに、切り込み溝に当たって向きを変え、全反射角よりも小さくなった光が外側面から出射する。切り込み溝は、導光材の長さ方向と交わる方向に延びるものであるので、通る光をある程度まとめて反射屈折させる。反射屈折させられた光は、外側面から出射させられるとともに、導光材内をさらに進む。
【００２１】
また、切り込み溝同士の間にはすき間が設けられているので、切り込み溝に当たらなかった光の成分は、少しも減衰することなく導光方向後段の別の切り込み溝に当たって反射屈折させられる。一度切り込み溝に当たった光の成分でも、一部は透過し、導光方向後段の別の切り込み溝に当たって、同様に反射屈折させられる。導光方向後段の切り込み溝に対しては、全反射しながら進む光の成分と既に別の切り込み溝を透過した光の成分とが当たり、外側面から出射させられるとともに、導光材内をさらに進む。
【００２２】
このため、光源の光を、その進む方向とは直角の方向に対して、効率よく出射できる。この結果、長い導光材であってもムラのない高輝度の光を得ることができ、廊下面や階段の踏み面、歩行者の足元などを照らす照明として作用し得る。
【００２３】
ところで、上記各構成要素については、次のように構成することができる。
【００２４】
その態様の一つは、上記反射面が、導光材の長さ方向と交わる方向にすき間を隔てて直線的に間欠配置して形成されたものである。
【００２５】
すなわち、切り込み溝に対して真っ直ぐに入ってくる光の成分のすべてを、切り込み溝で反射屈折してしまわずに、一部をより遠くまで飛ばして、光の利用効率を良くすることができる。
【００２６】
光の利用効率を良くするためには、たとえば、上記切り込み溝のうち導光方向で隣に位置する切り込み溝同士の、導光材の長さ方向（導光方向）と交わる方向での位置が、非同一に設定されたり、また、切り込み溝のうち、隣に位置する切り込み溝同士の深さが、異なるように設定されたり、さらには、切り込み溝が、導光材の端部から真っ直ぐに入る光が臨界角より小さい角度で当たる傾斜面を有するように形成されたり、したものであるもよい。
【００２７】
態様の他の一つは、上記電源が、ブラケット内に収納可能な大きさの電池で構成されるとともに、前記ブラケットの固定面に近接して並行になるように寝かせて配置され、前記制御回路を搭載した基板が、ブラケットの固定面と交わる方向に立てて取付けられて、該基板に、前記光源が搭載されたものである。
【００２８】
すなわち、電池がたとえば単３形や単４形ほどの大きさの乾電池であっても、それを寝かせて固定面、すなわち手摺を取付ける壁面がわに位置させることによって、壁面から遠い側の、手摺端部近傍の大きさを小さくまとめることができる。しかも、電池を収納することにより固定面の面積を広く設定できるので、違和感なしに固定強度も高められる。また、基板は立てて取付け、この基板に光源も搭載されているので、ブラケットをコンパクトな形態にすることができるとともに、ブラケットの組み立ても簡素化できる。
【００２９】
態様の他の一つは、上記ブラケットのうち、少なくとも両端に位置するブラケットに、接近した人間を検知する人間検知センサが内蔵されたものである。
【００３０】
すなわち、両端のブラケットにそれぞれ人間検知センサが存在するので、たとえば廊下の曲がり角や階段部分など、手摺の両端部のいずれにおいても同様に人間を検知して、所望の点灯・消灯の動作を得ることができる。
【００３１】
態様の他の一つは、上記ブラケットにおける人間検知センサに対応する部分が、上記人間検知センサでの検知を可能にする材料からなるカバーで覆われたものである。
【００３２】
すなわち、カバーが人間検知センサに対するゴミや汚れの付着を防止するので、人間検知センサの感度を維持できる。
【００３３】
態様の他の一つは、上記カバーの人間検知センサに対応する部位の内側面に、凹レンズ部が形成されたものである。
【００３４】
すなわち、人間検知センサに対する遠赤外線などの波動が出入りする口の大きさを小さく設定しても、凹レンズ部が波動を広く拾うことができるので、所望の範囲の検知を可能にすることができる。このため、ブラケットの外観を損なわないようにすることが可能である。
【００３５】
さらに別の態様として、上記電源の電圧が所定電圧か否かを判定するバッテリチェック回路を備えることができる。
【００３６】
すなわち、電池を使用した場合には、電池交換の時期を逸してしまいがちであるが、適宜チェックすることにより、電池の交換時期を明確に知ることができ、必要な時に光が得られない不都合を未然に防止できる。
【発明の効果】
【００３７】
以上のように、この発明によれば、歩行者の足元などを照らすことができる。つまり、歩行者の支えや案内として重要な手摺に、照明機能を付加することができ、より一そうの安全確保に資する新規の手摺を得ることができる。しかも、手摺から放たれる光は照明として充分な発光が可能であるので、たとえば一般家庭は勿論のこと、老人ホームや障害者施設、コンサートホール、体育館などの様々な屋内施設はもとより、公園や広場等の各種の屋外施設でも使用できる。そして、用途についても、その明るさゆえに、イルミネーションなど装飾としての使用も可能である。
【発明を実施するための最良の形態】
【００３８】
この発明を実施するための一形態を、以下図面を用いて説明する。  
図１は、照明付き手摺１１（以下、手摺という）を取付けた階段１２を示し、この図に示すように、手摺１１が光を放つと、階段１２の踏面１２ａはその光を受けて明るく光る。
【００３９】
このような手摺１１は、棒状の手摺本体２１と、この手摺本体２１を支持するブラケット２２，２３とからなる。
【００４０】
図２が手摺１１の一方の端部を示す斜視図であり、手摺本体２１は、その端部の一部がブラケット２２に嵌め込まれた状態で支持され、ブラケット２２内に備えられた光源としての発光ダイオード２４からの光が、手摺本体２１内に備えられた導光材２５を通って、外へ放出されるように構成されている。
【００４１】
まず、手摺本体２１から説明する。  
図３は、手摺本体２１の断面図であり、この図に示すように、手摺本体２１は、中空状の芯部材３１と、該芯部材３１の外側面の一部に取付けられる上記導光材２５と、芯部材３１の外周面における導光材２５以外の部分を被覆する化粧部材３２とを有する。
【００４２】
芯部材３１は、アルミニウムの押出し製品などの金属で形成される。そして、その断面形状は、略円形で、その一部に、平坦部３１ａが形成されている。この平坦部３１ａの左右両側部分には、起立壁３１ｂ，３１ｂが設けられ、これら起立壁３１ｂ，３１ｂの上端に、内側に向かって相対向するレール部３１ｃが形成されている。このレール部３１ｃは、導光材２５を保持するためのものである。
【００４３】
なお、上記平坦部３１ａの上面に形成された凸条３１ｄ，３１ｄは、導光材２５の差込み動作を容易にする。
【００４４】
そして、上記起立壁３１ｂ，３１ｂの左右両外側には、下へ落ち込む凹溝３１ｅ，３１ｅが形成されている。同様の凹溝３１ｅは、芯部材３１の反平坦部がわの外周面にも形成され、これら３つの凹溝３１ｅ…で上記化粧部材３２が保持される。
【００４５】
図中３１ｆは、芯部材３１をブラケット２２，２３にねじ３３止めにより固定するための孔部である（図４参照）。  
つまり、芯部材３１は、ブラケット２２，２３に対して一定の位置関係を保つように固定されることになる。このため、芯部材３１の上記各部の配置は、ブラケット２２，２３との関係において、固定されたときに平坦部３１ａがその上面、つまり保持する導光材２５を、ブラケット２２，２３の突出方向から４５度傾けるように設定される。なお、傾ける角度は、手摺１１の使用目的に応じて適宜設定する。
【００４６】
上記化粧部材３２は、芯部材３１に対応した長さの長尺状で、その断面が略Ｃ字型に形成されている。合成樹脂製で、芯部材３１と同様に、押出し成形で形成するとよく、この場合、表面には木目状の模様を表すこともできる。
【００４７】
そしてこの化粧部材３２は、上記芯部材３１の３つの凹溝３１ｅ…に入る３本の突条３２ａ…が形成されるとともに、導光材２５を保持したときに、これとの間に大きなすき間ができないようにし、かつ丸い断面を損なわないようにすべく、両端縁には断面略三角形状のエッヂ部３２ｂ，３２ｂも形成されている。
【００４８】
上記導光材２５は、たとえばアクリル等の透明の合成樹脂で形成された中実の角材状である。具体的には、芯部材３１と同じ長さを有し、その断面形状は、図３、図５に示したように、断面略長方形状で、左右両側面に、上記芯部材３１のレール部３１ｅと係合するガイド溝２５ａが長さ方向全体にわたって形成されている。
【００４９】
そして、すべての面に鏡面加工が施され、芯部材３１に取付けられた時に外側に露出する出射面２５ｂ（外側面）とは反対側の内側面には、図５、図６に示したような多数の切り込み溝２７がすき間２８を隔てて配置されて、反射面２５ｃが形成される。なお、長さ方向の両端面のうち一方が、図５に示したように発光ダイオード２４と対向して光が入ってくる入射面２５ｄである。
【００５０】
上記切り込み溝２７…は、導光材２５内を透過又は全反射する光の成分を反射屈折させて、出射面２５ｂから出射させるためのもので、例えば図７、図８に示したように、Ｖ字状に形成される。
【００５１】
切り込み溝２７は、導光方向、すなわち図示例の導光材２５は棒状であるので、その長さ方向を横切る方向に延びるように形成される。
【００５２】
そして、その配列は様々考えられるが、図６に示した如く導光方向と、導光方向を横切る方向との２方向に、すき間２８を隔てて形成するのが好ましい。
【００５３】
切り込み溝２７を導光方向ですき間２８を隔てて形成すると、全反射して進んできた光の成分を次々と切り込み溝２７で反射屈折させてしまわずに、全反射して導光方向に進む光の割合を多くすることができる。また、切り込み溝２７に当たって反射屈折した光の成分のうち、全反射せずに透過した光の成分が後段の切り込み溝２７においてすぐに減衰させられることを抑制することができる。
【００５４】
切り込み溝２７を、導光方向を横切る方向ですき間２８を隔てて形成、換言すれば切り込み溝２７を直線的に間欠配置すると、切り込み溝２７に対して端面である入射面２５ｄから真っ直ぐに入ってくる光の成分のすべてを、反射面２５ｃで反射屈折してしまわずに、一部をより遠くまで飛ばして、光の利用効率を良くすることができる。
【００５５】
導光方向を横切る方向での配置に際しては、図６、図７に示したように、導光方向で隣に位置する切り込み溝２７同士の、導光方向を横切る方向での位置を非同一にする。すなわち、切り込み溝２７とすき間２８のパターンを、導光方向を横切る方向でずらすのが好ましい。このように切り込み溝２７とすき間２８のパタンーンをずらすことによって、一度切り込み溝２７に当たって反射屈折させられた光の成分が著しく減衰させられずに、全反射してくる光の成分と一緒になって、さらに導光材２５内を進むことができる（図９、図１０参照）。
【００５６】
また、切り込み溝２７は、上述の如く図８に示したようにＶ字状に形成し、その傾斜面２７ａの角度を、入射面２５ｄから直角に入る光が導光材２５の材料であるアクリルの臨界角（４２．２度）よりも小さい角度θで当たるように設定するのが好ましい。このように形成すると、切り込み溝２７の傾斜面２７ａに当たる光は全反射せずに一部の光成分は屈折して透過する。そして、反射屈折しながら後端に位置する切り込み溝２７に当たる。
【００５７】
すなわち、切り込み溝２７に当たった光の成分が全て反射させられ、出射させられるのではなく、図１０に示したように一部の光成分は後段の切り込み溝２７へ向けて透過しさらに反射屈折する。この反射屈折時には、導光材２５内を全反射してくる光の成分も加わり、光の著しい減衰は起こらない。
【００５８】
上述のような切り込み溝２７は、周知のレーザ加工で形成できる。
【００５９】
このような導光材２５は、化粧部材３２とともに、芯部材３１に一体化され、手摺本体２１としてブラケット２２，２３に固定される。このとき、図１１（ａ）に示したように、一本の手摺本体２１の両端に端部用のブラケット２２を固定して使用する場合や、図１１（ｂ）に示したように、２本の手摺本体２１，２１を１個の中間のブラケット２３と２個の端部のブラケット２２，２２で支持して使用する場合には、導光材２５の入射面２５ｄ、すなわち光源側の面とは反対側の端面に、ステンレス等からなる端面反射シート２９を貼着する。これによって、使用する発光ダイオード２４の数を抑えることができるとともに、導光材２５内を通る光の利用効率を高めることができる。
【００６０】
このため、同じ端部のブラケット２２，２２でも、その中身は異なる。すなわち、端面反射シート２９を取付けた側のブラケット２２では、発光ダイオード２４が不要である。同様に、上記中間のブラケット２３においても発光ダイオードは不要ある。
【００６１】
もちろん、上記端面反射シート２９を用いずに、両端面を入射面２５ｄとするべく、発光ダイオード２４を備えたブラケット２２を両端に使用するもよい。この場合には、より明るい照明が可能となる。
【００６２】
なお、図示はしないが、反射面２５ｃ等にも適宜の反射シートを貼り付ければ、光の利用効率をさらに高めることができる。
【００６３】
次にブラケット２２について説明する。ここでは、上記発光ダイオード２４を備えた端部のブラケット２２について説明する。  
ブラケット２２は、図４、図１２に示したように、金属等からなる本体部材４１と、該本体部材４１に対して着脱自在に取付ける蓋部材４２とからなる。
【００６４】
本体部材４１は、壁面等の被取付け部４３に固定するための固定部５１と、該固定部５１の一端から立設された立設部５２とで正面視Ｌ字状に形成され、立設部５２の上部における反固定部がわの面には、突出する短円筒形状の被差し込み部５３が、手摺本体２１の端部を差し込むために形成されている。
【００６５】
上記固定部５１と立設部５２とで形成される空間は、必要な部材を収納する収納空間である。
【００６６】
図１３の手摺の電源制御ブロック図を参照して説明すると、この収納空間内には、電源としての電池５４（たとえば、単４形の乾電池）と、これを収容する電池ケース５５と、光源としての上記発光ダイオード２４と、制御回路５６と、そして接近する人間を検知するための人間検知センサ５７と、電池５４の残量力が所定値以下か否かを判定するバッテリチェックのための、バッテリチェック回路５８・チェック用スイッチ５９・表示用発光ダイオード６０を搭載した基板６１が収納されている。
【００６７】
本体部材４１は、図４に示したように、被取付け部４３と平行になる固定部５１の内底面からねじ部材７１を挿入して被取付け部４３に対して固定されるものであるので、上記電池ケース５５は、固定部５１に沿うように寝かせた状態にして固定部５１に対して着脱自在に固定される。このため、電池ケース５５の底面には、図１２に示したように、段つきの中空突起部５５ａが形成され、本体部材４１の固定に際して使用したねじ部材７１と干渉しないように構成されている。電池ケース５５の固定は、固定部５１面に対してビス７２を螺合して行う。
【００６８】
上記基板６１は、上記電池ケース５５への電池５４の出し入れに支障をきたさないように、上記立設部５２がわに沿った状態に立てて収納される。このようにして収納した時に、手摺本体２１の導光材２５の端面（入射面２５ｄ）に対向する位置には、発光ダイオード２４が、入射面２５ｄと対峙するように取付けられている。発光ダイオード２４の外側に設けられた鞘状の部材は、光を前方に向けるためのカバー７３である。
【００６９】
そして、基板６１における、上記発光ダイオード２４を固定した部位の反対側面には、上記人間検知センサ５７が取付けられている。この人間検知センサ５７には、赤外線センサ、超音波センサ、光電センサなど適宜のものが使用できるが、人間から放射される遠赤外線を受けることで動作する焦電型モーションセンサを使用するとよい。
【００７０】
この人間検知センサ５７は、基板６１に対して垂直に立てた補助板６１ａの上面に搭載され、手摺１１の端部において外を向いて位置するように設定される。
【００７１】
また、基板６１の下端部であって、立設部５２と対向する側の面に、上記チェック用スイッチ５９が搭載されている。このチェック用スイッチ５９は、立設部５２に対して外側から操作可能に取付けられたスイッチボタン７４によりＯＮ・ＯＦＦ切換操作される。
【００７２】
上記チェック用発光ダイオード６０は、適宜位置に配置されるが、たとえば、上記人間検知センサ５７に並べて搭載するとよい。また、チェック用発光ダイオード６０は、たとえば赤色など、目立つ色の光を放つものであるのが好ましい。
【００７３】
このように、２個の人間検知センサ５７，５７および発光ダイオード２４は、電池５４からの電力で駆動する制御回路５６に接続される。この制御回路５６には、ワンショット回路（タイマなどでもよい）が備えられ、検知信号がＯＦＦになってから所定時間経過するまで発光ダイオード２４を点灯するように制御されている。
【００７４】
すなわち、人間検知センサ５７，５７が、接近する人間を一度検知すると、人間を検知しなくなったときから所定時間が経過するまで、発光ダイオード２４を点灯する。上記所定時間は、たとえば一般家庭用の階段用の手摺では、２５秒から３０秒ほどでよい。また、所定時間は、切換スイッチにより適宜切り換えて変更できるように構成するもよい。
【００７５】
また、電池５４は、周知のバッテリチェック回路５８と接続され、このバッテリチェック回路５８は、チェック用スイッチ５９のＯＮ・ＯＦＦ切換により駆動し、電池５４の電圧が所定値以下であればチェック用発光ダイオード６０を点灯するように制御されている。
【００７６】
上記蓋部材４２は、遠赤外線を透過可能な合成樹脂で形成される。その色は、必ずしも透明である必要はないが、例えば白色などのような薄い色が好ましい。
【００７７】
そして、その形状は、正面視Ｌ字形に形成され、上記本体部材４１の収納空間がわの縁に形成された係合縁部４１ａに対して着脱可能に係合される。図中、４２ａは、係止のための係止突部である。
【００７８】
蓋部材４２は、上述のように正面視Ｌ字形であるので、外側の角部分が欠けた形状であり、上記電池ケース５５と基板６１とを整理して収納するのに必要な空間だけを確保して、ブラケット２２をコンパクトな形状に形成できる。
【００７９】
また、この蓋部材４２の上端部外側角部、すなわち上記人間検知センサ５７に対応する部分の内側面には、凹レンズ部４２ｂが形成される。すなわち、図１４に示したように、凹レンズ状の凹みが形成され、これによって、より広い方向からの遠赤外線を取り入れることが可能となる。
【００８０】
図中、４２ｃは、装飾のための被膜であり、凹レンズ部４２ｂを除く部分に形成されている。被膜４２ｃを凹レンズ部４２ｂおよび本体部材４１と調和のあるものにすると、美麗な外観が得られる。また被膜４２ｃを設けるので、各部があたかも一体であるかのようなブラケット２２を得ることもできる。
【００８１】
このようなブラケットは、上述したように図１１（ａ），（ｂ）に示した例では、手摺１１の両端に位置するブラケット２２のうちいずれか一方の端に位置するものに使用する。他方の端に使用するブラケット２２は、上述のブラケット２２の基板６１から、発光ダイオード２４やバッテリチェック回路５８等を除いたものを使用する。また、図１１（ｂ）に示したように中間のブラケット２３については、差し込んだ手摺本体２１の端部（手摺本体２１が１本ものである場合にはその中間部）を保持する円筒状の保持部２３ａと、これを支持する支持部２３ｂとからなる適宜構成されるものでよく、ここでは、その詳しい説明を省略する。もちろん、必要ならば、この中間のブラケット２３に光源や人間検知センサを内蔵することもできる。
【００８２】
以上のように構成された手摺１１では、手摺１１の端部に人間が接近することによって自動的に発光ダイオード２４がひかり、その光が導光材２５を通って出射され、手摺１１の下方を照らす。導光材２５の位置を、図１５に示したように斜め下外方に向けたので、手摺１１の高さが一般的な８０〜８５cmくらいとした場合、それと同じ程度の広さを充分に照明することができ、踏面１２ａ等を全体的に明るくすることができる。
【００８３】
そして、人間が手摺１１から離れれば、発光ダイオード２４は自動的に消灯する。
【００８４】
このように、人間検知センサ５７が人間を検知することにより自動的に点灯・消灯が行われるので、必要な時以外には点灯せず、省エネが図れるとともに、使用する発光ダイオード２４も、１本の手摺本体２１に対して１個でよく、きわめて経済的である。
【００８５】
しかも、人間検知センサ５７は、手摺１１の両端部に設けているので、いずれの方向から人間が接近しても同様の、所望の感度で検知でき、動作不良を防止できる。
【００８６】
また、電池５４など必要な部材は全てブラケット２２内に収納しているので、施工が簡単であるとともに、それら必要な部材をコンパクトにまとめて収納しているので、これまでのブラケットに比して大きすぎたり、奇異な形態になったりするようなことはなく、スリムで美麗な外観が容易に得られる。
【００８７】
そして、上記電池５４には、上述のようにどこでも簡単に入手できて種類の特定も容易な乾電池を用いているので、たとえば電池の種類に疎い人でも、簡易迅速に交換したりすることができる。バッテリチェック回路を備えていることによる効果と相俟って、使用する人にとってより優しい手摺１１となる。このため、たとえば独居老人の家や老人ホーム、障害者施設などで使用する照明付きの手摺１１として、格別の利便性が得られる。
【００８８】
さらに、発光ダイオード２４の光を導き、出射面２５ｂから放つ導光材２５が上述の如く形成されているので、その明るさには、従来発光ダイオードを用いて発光するように構成された手摺とは異なる、際立ったものがある。
【００８９】
すなわち、導光材２５では、入射面２５ｂから入射した光は、導光材２５内を全反射しながら進んでゆく。そして光はそのうちに、切り込み溝２７に当たって向きを変え、全反射角よりも小さくなった光が出射面２５ｂから出射する。
【００９０】
光を反射屈折させる切り込み溝２７は、導光方向を横切る方向に延びるものであるので、図９に丸印で示したように、通る光をある程度まとめて反射屈折させる。そして反射屈折させられた光は、一部の成分は出射面２５ｂから出射させられるとともに、残りの成分は導光材２５内を反射屈折してさらに進む。
【００９１】
出射面２５ｂから出射される光は、ある程度まとまるので、切り込み溝２７が粗面をなすドットである場合に比して、比較的強い光が得られる。
【００９２】
また、切り込み溝２７同士の間にはすき間２８を設けているので、切り込み溝２７に当たらなかった光の成分は、全反射して導光方向後段に進み、何ら減衰することなく別の切り込み溝２７に当たって反射屈折させられる。
【００９３】
一度切り込み溝２７に当たった光の成分でも、切り込み溝２７の傾斜面２７ａの角度を上述のように臨界角を考慮して設定したので、一部は透過し、導光方向後段の別の切り込み溝２７に当たって、同様に反射屈折させられる。導光方向後段の切り込み溝２７に対しては、全反射しながら進む光の成分と既に別の切り込み溝２７を透過した光の成分とが当たり、出射面２５ｂから出射させられるとともに、導光材２５内をさらに進む。
【００９４】
このように、入射面２５ｄから入射した光は、導光材２５内を全反射しながら進んでゆく過程で、反射面２５ｃにおける導光方向を横切る複数本の切り込み溝２７で、切り込み溝２７ごとにある程度まとめて断続的に反射屈折させられ、出射面２５ｂから出射させられ、また導光材２５内をさらに進む。しかも、切り込み溝２７同士の間にはすき間２８を設けているので、入射した光がすぐさま立て続けに散乱反射させられて著しく減衰することはなく、導光方向後段にも充分に光が届く。
【００９５】
このため、光の利用効率が高く、導光材２５が長くてもムラのない高輝度の光を得ることができる。
【００９６】
なお、切り込み溝２７の断面形状は、その他の形状、例えばＵ字状等であるもよく、どのような形状にしても、入射面２５ｄから直角に入る光が導光材２５の材料であるアクリルの臨界角よりも小さい角度で当たる角度の傾斜面２７ａを有するとよい。
【００９７】
また、図１６に示したように、切り込み溝２７の深さを、切り込み溝２７ごとに異ならせるもよい。導光方向を横切る方向に隣に位置する切り込み溝２７のパターンがたとえ同一であっても、後段側の切り込み溝２７が前段側の切り込み溝２７よりも深ければ、後段側の切り込み溝２７でも充分に光の反射屈折が行え、光の減衰を抑制できる。
【００９８】
また、上述の、導光方向を横切る方向とは、直角のみを意味するものではなく、例えば図１７（ａ）に示したように傾斜していてもよい。さらに図１７（ｂ）に示したように、導光方向を横切る方向に延びる切り込み溝２７は、一直線状に並ぶものでなくともよい。
【００９９】
また、切り込み溝２７を隠蔽し、光を和らげるためには、図１８に示したように出射面２５ｂにサンドブラストにより拡散面３０を形成するもよい。サンドブラストで拡散面３０を直接形成するほか、シートを貼着して形成することもできる。
【０１００】
この発明の構成と、上記一形態の構成との対応において、  
この発明における導光材の長さ方向の端部は、一形態における入射面２５ｄに対応し、  
以下、同様に、  
導光材の外側面は、出射面２５ｂに対応し、  
光源は、発光ダイオード２４に対応し、  
電源は、電池５４に対応し、  
固定面は、固定部５１に対応し、  
カバーは、蓋部材４２の一部に対応するも、  
この発明は、上記一形態の構成のみに限定されるものではなく、その他の様々な形態を採用することができる。
【０１０１】
たとえば、上記入射面２５ｄは、垂直平面ではなく、たとえば発光ダイオード２４の先端側を収容可能な断面Ｕ字状の凹所を有したものであるもよい。
【０１０２】
また、手摺本体の形状も断面円形のみではなく、適宜の形状に形成することができる。
【０１０３】
さらに、電池についても、乾電池以外の一次電池や、そのほか二次電池を用いるもよい。
【図面の簡単な説明】
【０１０４】
【図１】照明付き手摺の斜視図。
【図２】照明付き手摺の一部拡大斜視図。
【図３】手摺本体の断面図。
【図４】図３におけるＡ−Ａ断面図。
【図５】導光材の斜視図。
【図６】導光材の要部の平面図。
【図７】導光材の要部の断面図。
【図８】導光材の要部の拡大断面図。
【図９】導光材の作用状態の説明図。
【図１０】導光材の作用状態の説明図。
【図１１】手摺の概略構造を示す説明図。
【図１２】ブラケット部分の分解図。
【図１３】制御ブロック図。
【図１４】図１２のＢ−Ｂ拡大断面図。
【図１５】作用状態の説明図。
【図１６】導光材の他の例を示す断面図。
【図１７】導光材の他の例を示す平面図。
【図１８】導光材の他の例を示す断面図。
【符号の説明】
【０１０５】
１１…照明付き手摺
２１…手摺本体
２２，２３…ブラケット
２４…発光ダイオード
２５…導光材
２５ｂ…出射面
２５ｃ…反射面
２５ｄ…入射面
２７…切り込み溝
２８…すき間
４２…蓋部材
４２ｂ…凹レンズ部
５１…固定部
５４…電池
５７…人間検知センサ
６１…基板
【図１】
2006299586.tif 000003
【図２】
2006299586.tif 000004
【図３】
2006299586.tif 000005
【図４】
2006299586.tif 000006
【図５】
2006299586.tif 000007
【図６】
2006299586.tif 000008
【図７】
2006299586.tif 000009
【図８】
2006299586.tif 000010
【図９】
2006299586.tif 000011
【図１０】
2006299586.tif 000012
【図１１】
2006299586.tif 000013
【図１２】
2006299586.tif 000014
【図１３】
2006299586.tif 000015
【図１４】
2006299586.tif 000016
【図１５】
2006299586.tif 000017
【図１６】
2006299586.tif 000018
【図１７】
2006299586.tif 000019
【図１８】
2006299586.tif 000020